(57)【要約】【課題】表地の防水性を実着用上問題ないレベルを確保するため、表地表面に裏地との中綴じのための縫目を出さないように中綴じ部を構成し、着用状態で表地と裏地のずれを防止し、着用状態での審美性を保つ目止めテープ接着衣服を提供すること。【解決手段】表地と裏地からなる衣服において、該表地の少なくとも一部が二枚以上の生地で構成されるとともに、該二枚以上の生地で構成される縫着部分が目止めされてなり、かつ該二枚以上の生地の内層側の生地と裏地とで中綴じが形成されていることを特徴とする衣服。【選択図】図１
2004353100.tif 000002
【特許請求の範囲】
【請求項１】
表地と裏地からなる衣服において、該表地の少なくとも一部が二枚以上の生地で構成されるとともに、該二枚以上の生地で構成される縫着部分が目止めされてなり、かつ該二枚以上の生地の内層側の生地と裏地とで中綴じが形成されていることを特徴とする衣服。
【請求項２】
前記二枚以上の生地で構成される部分が、衿付け部分、袖合わせ部分、前後身頃縫着部分、および袖付け部分から選ばれる１種以上の位置に形成されていることを特徴とする請求項１に記載の衣服。
【請求項３】
前記二枚以上の生地で構成される部分が、衿付け部分、袖合わせ部分、前後身頃縫着部分、および袖付け部分から選ばれる１種以上の位置において部分的に形成されていることを特徴とする請求項２に記載の衣服。
【請求項４】
衣服が、雨衣、防寒衣、および防塵衣のいずれかであることを特徴とする請求項１〜３のいずれかに記載の衣服。
【発明の詳細な説明】
【０００１】
【発明の属する技術分野】
本発明は目止めされてなる衣服において、衣服を構成する表地と裏地の中綴じをおこなうための縫製仕様とされた衣服に関する。
【０００２】
【従来の技術】
目止めされている衣服においては、縫目部分からの漏水防止を第１に考慮し、縫代部分を含んだ形で縫目部分を衣服裏面より目止めテープによりシールしてしまうことや縫目を形成しないで高周波や超音波などで生地と生地とを融着してしまうため、従来、表地と裏地とを中綴じするために使用されていた縫代部分が目止めテープにより身頃生地と隙間の出来ないように接着されてしまい、表地と裏地の中綴じが出来ないのが通常であった。
【０００３】
従来、たとえば、衿付け部に目止めテープを接着してるため中綴じができない雨衣の構造が提案されている（たとえば、特許文献１参照）。たとえば、図３に示すように、目止めテープが接着された衣服の衿付け部分の構造は、衿表地１と身頃表地２とを縫着した部分に目止めテープ７を接着しており、衿裏地３と身頃裏地４が縫着された場合、通常中綴じを行うための縫代部分がなくなってしまい、衿上部から表地と裏地が離れた状態となってしまう。しかしながら、表地と裏地の中綴じを行わないと表地と裏地が離れてしまうため、衣服の着脱時に表地と裏地のずれが発生するため着用しにくい、また、着用時にも裏地と表地がずれ見栄えが悪くなるなど、衣服としての形態保持性に劣るものであった。また、無理に中綴じを行おうとすると表地に目止めテープを接着することができない縫目が現れてしまい、縫目からの漏水が発生するなど防水衣服としては満足できるものではなかった。
【０００４】
また、これらの欠点を解決するため、表地と裏地とを一体化させた生地を用い、衿を縫い付け裏衿の一部を欠損させて雨衣の裏面に目止めテープを接着した雨衣が提案されている（たとえば、特許文献２〜３参照）。しかしながら、表地と裏地を一体化させた生地を用いた場合、生地の風合いが硬くなり、衣服として着用感にかけるものになってしまうなどの問題点を有していた。
【０００５】
【特許文献１】
特開平１０−２９２２１０号公報（第１−２頁）
【０００６】
【特許文献２】
特開平７−２７８９１４号公報（第１−２頁）
【０００７】
【特許文献３】
登録実用新案第３００２０８３号公報（第１−２頁）
【０００８】
【発明が解決しようとする課題】
本発明の目的は、上記従来技術の問題点を解消し、目止めテープ接着部分について実着用上問題ない防水性を維持しつつ、かつ表地と裏地を部分的に縫着することにより着用時等の裏地のズレを防止する目止めテープ接着衣服の中綴じ仕様を採用した衣服を提供することにある。
【０００９】
【課題を解決するための手段】
上記の目的を達成するため、本発明は以下の構成を採用する。すなわち、
（１）表地と裏地からなる衣服において、該表地の少なくとも一部が二枚以上の生地で構成されるとともに、該二枚以上の生地で構成される縫着部分が目止めされてなり、かつ該二枚以上の生地の内層側の生地と裏地とで中綴じが形成されていることを特徴とする衣服。
（２）前記二枚以上の生地で構成される部分が、衿付け部分、袖合わせ部分、前後身頃縫着部分、および袖付け部分から選ばれる１種以上の位置に形成されていることを特徴とする前記（１）に記載の衣服。
（３）前記二枚以上の生地で構成される部分が、衿付け部分、袖合わせ部分、前後身頃縫着部分、および袖付け部分から選ばれる１種以上の位置において部分的に形成されていることを特徴とする前記（２）に記載の衣服。
（４）衣服が、雨衣、防寒衣、および防塵衣のいずれかであることを特徴とする前記（１）〜（３）のいずれかに記載の衣服である。
【００１０】
【発明の実施の形態】
本発明は、表地と裏地からなる衣服において、該表地の少なくとも一部が二枚以上の生地で構成されるとともに、該二枚以上の生地で構成される縫着部分が目止めされてなり、かつ該二枚以上の生地の内層側の生地と裏地とで中綴じが形成されていることを特徴とする衣服である。
【００１１】
以下、本発明の衣服について、図面を参照しつつ詳細に説明する。
【００１２】
図１、図２は、本発明の目止めテープ接着衣服の衿付け部分の中綴じ仕様の一態様を示す断面模式図であり、図３は通常の目止めテープ接着衣服の衿付け部分の一態様を示す断面模式図である。
【００１３】
図４、図５は、図１に示す中綴じ部分の一態様を示す外観模式図であり、図６は、図２に示す中綴じ部分の一態様を示す外観模式図である。
【００１４】
さらに図７は、本発明の目止めテープ接着衣服の一態様を示す衣服前面全体の外観模式図であり、図８は、図７の後面全体の外観模式図である。
【００１５】
本発明において目止め方法としては特に限定されない。例えば、基布層に高融点のポリアミド系、ポリオレフィン系、ポリエステル系、ポリウレタン系等の樹脂類を使用し、接着層に低融点のポリアミド系、ポリオレフィン系、ポリエステル系、ポリウレタン系等の熱溶着樹脂を使用したホットメルト型の通常公知の目止めテープ、シームテープ、シーリングテープ等を縫目部分に当接させ、高周波や超音波、熱プレス等により熱接着樹脂を溶着させる方法、もしくはホットエアー等により熱接着樹脂を溶融後接着させ目止めする方法、あるいは、ゴム系に代表される粘着型の接着剤を縫目部分に塗布して目止めするための基布を接着する方法などが使用できる。また、生地同士を高周波ウエルダーや超音波にて融着させて得られる目止め等が適用できる。これらの方法を適宜選択することにより、衣服外部から縫目を通って衣服内部への水の侵入を防ぐことや衣服内部から縫目を通って衣服外部への塵などのゴミ類が発散しないようにすることが、効果的に可能となる。
【００１６】
本発明における表地は、衣服表面を構成する生地であり、目止めテープを接着、あるいは融着により縫着部分を目止めすることができる生地であれば特に限定されるものではなく、衣服に用いられる織物や編物（これらを総称して織編物と呼称する場合がある）、不織布などで構成すれば良く、素材もポリエステル、ポリアミドなどの合成繊維や天然繊維などから選定すれば良い。特にポリアミド繊維よりなる織編物やポリエステル繊維よりなる織編物にコーティングやラミネート、ボンディングなどの方法でウレタン系やＰＴＦＥ系などの防水膜を付与した透湿防水布やポリアミド繊維よりなる織編物やポリエステル繊維よりなる織編物を高密度に成形し、撥水加工等により生地内部への水の浸透を抑制させた生地などを用いることが好ましい。また、図１に示す衿表地１と身頃表地２とを同一の生地で形成することも可能であるし、別々の生地を用いることもなんら差し支えない。
【００１７】
また、本発明における裏地は、衣服内面を構成する生地であり、ポリエステルやポリアミドなどの合成繊維で成形されたメッシュ状の編物や平織物など通常用いられるもので何ら差し支えない。また、裏地の縫着部分は衣服全体に裏地を付ける総裏仕様や後身頃部に裏地を付けない背抜き仕様など適時選定し得るものである。また、図１に示すように、衿裏地３と身頃裏地４とを同一の生地で形成することも可能であるし、衿裏地３を身頃表地２と同一生地とし、身頃裏地４をメッシュ生地などとすることもなんら差し支えない。
【００１８】
本発明において実着用上問題ない防水性を維持するために、二枚以上の表地を積層した二重または多重構造部分を形成するものである。たとえば、図１に示す衿付け部分の縫製仕様を例にとると、衿表地１の下部すなわち身頃表地２の衿付け部分と縫着する部分に二枚以上の生地を積層させた二重構造部分５を形成する。その際中綴じの形成方法としては、衿表地１に衿部分となる二重構造部５を縫着しその縫目に目止めテープ７を接着、あるいは衿表地１と衿部分となる二重構造部５を融着して目止めする。その後、衿表地１に衿裏地３を縫着し、二層構造部５の内層側生地と衿裏地３を縫着し、中綴じ６を形成する。その後、二重構造部５と身頃表地２を縫着し、その縫目に目止めテープ７を接着、あるいは二重構造部５と身頃表地２を融着して目止めし、さらに衿裏地３と身頃裏地４を縫着して行くことにより、衣服表面には中綴じ６部分の縫目が出ない仕様で中綴じを行うことが可能となる。
【００１９】
また、図２に示すように、身頃表地２側に二重構造部分５を形成することも可能である。この場合、衿表地１に身頃部となる二重構造部５を縫着し、その縫目に目止めテープ７を接着、あるいは衿表地１に身頃部となる二重構造部を融着して目止めする。その後、衿表地１に衿裏地３と身頃裏地４を縫着した裏地を縫着し、二層構造部５の内層側生地と身頃裏地４を縫着し中綴じ６を形成する。その後、二重構造部５と身頃生地２を縫着し、目止めテープ７を接着、あるいは二重構造部５と身頃生地２を融着して目止めすることにより、衣服表面には中綴じ部分の縫目が出ない仕様で中綴じ６を行うことが可能となる。
【００２０】
また、本発明における中綴じを行うための二重または多重構造部分は、図１、図２に示す衿付け部以外にも、袖合わせ部分、脇合わせ部分、肩合わせ部分、前後身頃縫着部分、袖付け部分などに二枚以上の生地を縫着することにより形成することが可能である。
【００２１】
また、衿付けや袖付けなど地縫い部分以外で１枚の生地で形成されている部分であっても、さらに１枚以上の別生地を当接させることにより二重または多重構造部分を形成することも可能であるが、切り替え部を設け、二重または多重構造を形成する二枚以上の生地を同時に縫着することが防水性能を向上させるためにはより効果的である。
【００２２】
また、目止めテープ７の接着部の縫代は上下左右どちらの方向にも倒すことは可能であるが、衣服下方向に向かって倒すと、縫代を倒した側のほうが生地厚が厚くなり必然的に段差ができることになり、衣服着用時衣服表面を流れる水滴を受けてしまう構造になってしまうため、水滴を受けない方向、すなわち縫代を衣服上方に向け倒していることがより好ましい。
【００２３】
本発明における二重または多重構造部は、図４に示すように、衿表地２の衿付け部全周にわたって設けることも可能であるが、デザイン上の制約が多く二重または多重構造部を形成出来ない場合には、図５に示すように、衿表地２の衿付け部の一部分に形成することも可能である。また、図５に示す衿付け部分に限らず、図６に示すように、身頃表地２側の部分に部分的に形成することも可能であり、袖合わせ部分、脇合わせ部分や肩合わせ部分など前後身頃縫着部分、袖付け部分など地縫い部分であれば二重または多重構造部を形成することが可能である。
【００２４】
また、本発明によれば、図７に示すデザインの衣服を縫製した場合においては、図８に示すように、衿後部に中綴じを設けることにより中綴じを設けないものとほぼ同等の外観を得ることが可能である。
【００２５】
【発明の効果】
本発明により、目止めテープを接着あるいは融着された衣服においても、衣服表地と衣服裏地の中綴じを形成することが可能であり、着用時、裏地がずれるなど衣服の形成性を向上させた衣服を提供することができ、その実用性は大きい。
【図面の簡単な説明】
【図１】本発明の目止めテープ接着衣服の衿付け部分の中綴じ仕様の一態様を示す断面模式図である。
【図２】本発明の目止めテープ接着衣服の衿付け部分の中綴じ仕様の他の一態様を示す断面模式図である。
【図３】従来の目止めテープ接着衣服の衿付け部分の縫製仕様の一態様を示す断面模式図である。
【図４】本発明の目止めテープ接着衣服の衿付け部分の中綴じ仕様の一態様を示す外観模式図である。
【図５】本発明の目止めテープ接着衣服の衿付け部分の中綴じ仕様の他の一態様を示す外観模式図である。
【図６】本発明の目止めテープ接着衣服の衿付け部分の中綴じ仕様のさらに他の一態様を示す外観模式図である。
【図７】本発明の目止めテープ接着衣服の衣服全体の一態様を示す前面外観模式図である。
【図８】本発明の目止めテープ接着衣服の衣服全体の一態様を示す後面外観模式図である。
【符号の説明】
１：衿表地
２：身頃表地
３：衿裏地
４：身頃裏地
５：二重構造部分
６：中綴じ
７：目止めテープ
【図１】
2004353100.tif 000003
【図２】
2004353100.tif 000004
【図３】
2004353100.tif 000005
【図４】
2004353100.tif 000006
【図５】
2004353100.tif 000007
【図６】
2004353100.tif 000008
【図７】
2004353100.tif 000009
【図８】
2004353100.tif 000010